(57)【要約】【課題】異なる大きさの内容物をガタ無く収納可能とする梱包箱を提供する。【解決手段】底部または蓋部のフラップに端面から側壁に向かって切れ込みを設けるとともに、直方体形状を形成する通常の折り曲げ線と別に、切れ込みを挟んでＶ字形に対向するように設けた第一の折り曲げ線と、所定の間隔をおいて設けた第二の折り曲げ線と、フラップの角部を差し込む係止部を設ける。【選択図】  図２
2013173557.tif 000002
【特許請求の範囲】
【請求項１】
複数の側壁と、前記側壁から延出し底部を形成する複数のフラップと、底部を形成する前記フラップの反対側で前記側壁から延出し蓋部を形成する複数のフラップとを備え、前記底部または蓋部を形成する前記フラップの幅方向中央に前記フラップの端面から前記フラップの折り曲げ線に向かう切れ込みを設けるとともに、前記切れ込みを中心線として対向するようにＶ字形に形成された第一の折り曲げ線と、前記第一の折り曲げ線に隣合う位置で前記フラップの折り曲げ線から遠ざかる方向に所定の間隔で設けた第二の折り曲げ線と、前記第一の折り曲げ線を挟んで前記第二の折り曲げ線の反対側に前記フラップの角部を係止する係止部を有するように構成したことを特徴とする梱包箱。
【発明の詳細な説明】
【技術分野】
【０００１】
本発明は、紙およびダンボールを使用した梱包箱の改良に関するものである。
【背景技術】
【０００２】
従来より、商品等を包装・搬送するための外装容器として使用されるダンボール紙を用いた梱包箱において、直方体状の箱の四側壁から上下に延出したフラップを折り重ねることによって蓋部および底部を閉塞する構造に関する下記の特許文献１に示すような考案がされている。
【先行技術文献】
【特許文献】
【０００３】
【特許文献１】特開平７−２０５９５４号公報
【発明の概要】
【発明が解決しようとする課題】
【０００４】
しかしながら、この種の梱包箱では、相似形であっても大きさの違う内容物は別々の大きさの梱包箱を必要とし、コスト高を招くとともに管理が複雑になるという問題があった。
【０００５】
本発明の目的は、これらの問題を解消して、相似形であって大きさの違う内容物ならば別々の大きさの梱包箱を必要とせず、特に高さが低い段付き円筒型の外径が異なる内容物に対して、単一仕様で対応できる梱包箱を提供することにある。
【課題を解決するための手段】
【０００６】
上記目的を達成するために講じた本発明の技術手段は、次の点に構成上の特徴がある。
【０００７】
〔解決手段１〕
本発明の梱包箱は、請求項１に記載のように、複数の側壁と、前記側壁から延出し底部を形成する複数のフラップと、底部を形成する前記フラップの反対側で前記側壁から延出し蓋部を形成する複数のフラップとを備え、前記底部または蓋部を形成する前記フラップの幅方向中央に前記フラップの端面から前記フラップの折り曲げ線に向かう切れ込みを設けるとともに、前記切れ込みを中心線として対向するようにＶ字形に形成された第一の折り曲げ線と、前記第一の折り曲げ線に隣合う位置で前記フラップの折り曲げ線から遠ざかる方向に所定の間隔で設けた第二の折り曲げ線と、前記第一の折り曲げ線を挟んで前記第二の折り曲げ線の反対側に前記フラップの角部を係止する係止部を有するように構成したことである。
【発明の効果】
【０００８】
請求項１にかかる発明によれば、複数の側壁と、前記側壁から延出し底部を形成する複数のフラップと、底部を形成する前記フラップの反対側で前記側壁から延出し蓋部を形成する複数のフラップとを備え、前記底部または蓋部を形成する前記フラップの幅方向中央に前記フラップの端面から前記フラップの折り曲げ線に向かう切れ込みを設けるとともに、前記切れ込みを中心線として対向するようにＶ字形に形成された第一の折り曲げ線と、前記第一の折り曲げ線に隣合う位置で前記フラップの折り曲げ線から遠ざかる方向に所定の間隔で設けた第二の折り曲げ線と、前記第一の折り曲げ線を挟んで前記第二の折り曲げ線の反対側に前記フラップの角部を係止する係止部を有するように構成している。
【０００９】
これにより、基準の内容物より外径の小さい段付き円筒型の内容物を梱包する際に、フラップに設けた第一の折り曲げ線と第二の折り曲げ線で折り畳み、フラップの角部を係止部に差し込むことで、段付き円筒型で基準の内容物より外径の小さい内容物であっても、梱包箱の側壁と内容物外径との間に隙間が有るにもかかわらず、第一の折り曲げ線と第二の折り曲げ線と係止部で形成される直角三角形断面の空洞部に接することより、比重の大きい内容物でも段付き円筒部の小径部で確実に拘束することが出来るので、搬送中に内容物が梱包箱の中で移動することで発生する、内容物の磨耗、傷、打音、表面の塗料等の梱包箱への移着、梱包箱の変形、破損を確実に防止することが出来るという効果を奏する。
【図面の簡単な説明】
【００１０】
【図１】本発明の一実施例を示す、梱包箱の展開図
【図２】本発明の一実施例を示す、梱包箱の組立状態を示す斜視図
【図３】本発明の一実施例を示す、梱包箱の断面図（図２のＡ−Ａ断面図）
【図４】従来のダンボール箱の組立状態を示す斜視図
【図５】従来のダンボール箱の断面図（図４のＢ−Ｂ断面図）
【発明を実施するための形態】
【００１１】
以下、本発明の実施の形態を図１乃至図３に基づいて、直径３８０ｍｍ、高さ６０ｍｍの段付き円筒状の基準となる内容物を梱包する梱包箱を例に説明する。
【実施例】
【００１２】
本発明の梱包箱は、図１に示すように、４個所の側壁１〜４と、側壁１〜４の一方から延出する底部フラップ５ａ〜５ｄと、側壁１〜４の反対側の一方から延出する蓋部フラップ６ａ〜６ｄと、側壁１と４を固定する舌片１７で構成されている。蓋部フラップ６ｂと６ｄの幅方向中央には、フラップ６ｂと６ｄの端面からフラップ６ｂと６ｄの折り曲げ線８に向かって切れ込み１３が入っている。
【００１３】
さらに、基準の外径より小さい段付き円筒状の内容物１８をガタ無く梱包するために、切れ込み１３を中心線として対向するようにＶ字形に形成された第一の折り曲げ線１１と、折り曲げ線１１に隣合う位置でフラップ６ｂと６ｄの折り曲げ線８から遠ざかる方向に所定の間隔で設けた第二の折り曲げ線１２と、第一の折り曲げ線１１を挟んで第二の折り曲げ線１２の反対側に、フラップ６ｂと６ｄの角部を係止する係止部１５を有するように構成している。
【００１４】
フラップ６ｂと６ｄは、第一の折り曲げ線１１と第二の折り曲げ線１２で折り曲げて、フラップ６ｂと６ｄの角部を係止部１５に差し込むことで、フラップ６ｂと６ｄに各々２個所の直角三角形断面の空洞が形成される。これにより平面視で梱包箱の中央に略正方形乃至菱形の空間が出現し、段付き円筒状の内容物１８の小径部がこの空間に丁度嵌りこむ。これにより、基準の外径より小さい段付き円筒状の内容物１８でも、梱包箱の側壁１〜４と外径間に隙間が有るにもかかわらず、段付き円筒状の内容物１８の小径部が確実に拘束されているので、内容物１８を梱包箱の中でガタ無く梱包することが出来る。
【００１５】
なお、Ｖ字形に形成された第一の折り曲げ線１１は、フラップ６ｂと６ｄの折り曲げ線８に対して３０度から６０度の範囲で設けるのが内容物１８の拘束面で好適である。また、第一の折り曲げ線１１と、第二の折り曲げ線１２および係止部１５は、フラップ６ａと６ｃに施してもよいし、底部フラップ５ａと５ｃまたは５ｂと５ｄに施してもよい。底部フラップに施した場合は、段付き円筒状の内容物１８を上下逆さまにし、段付き円筒状の内容物１８の小径部を下にして収納するとよい。
【００１６】
上述の実施例は、本発明としてはそれらに限定されるものではなく、説明のため例示したもので、Ｖ字形の折り曲げ線を緩い円弧にするなど、特許請求の範囲の記載から当業者が認識できる本発明の技術思想に反しない限り変更および付加が可能である。
【符号の説明】
【００１７】
１〜４  側壁
５ａ〜５ｄ  底部フラップ
６ａ〜６ｄ  蓋部フラップ
７  底部フラップの折り曲げ線
８  蓋部フラップの折り曲げ線
１１  第一の折り曲げ線
１２  第二の折り曲げ線
１３  切れ込み
１５  係止部
１７  舌片
１８  内容物
【図１】
2013173557.tif 000003
【図２】
2013173557.tif 000004
【図３】
2013173557.tif 000005
【図４】
2013173557.tif 000006
【図５】
2013173557.tif 000007